(57)【要約】【課題】情報機器において補助表示装置を有効に使用できるようにする。【解決手段】情報機器の蓋部２には表示装置３が備えられている。この蓋部２は、機器本体１に対して開閉動作が可能である。補助表示装置４は、バッテリおよび無線通信装置を有し、機器本体１（もしくは蓋部２）に対する装着及び分離が可能である。この補助表示装置４は、装着の状態においては機器本体１から供給される電力を用いて情報の表示およびバッテリの充電を行い、分離の状態においてはバッテリの電力を用いて情報の表示を行うことが可能である。【選択図】      図２
2006258988.tif 000002
【特許請求の範囲】
【請求項１】
本体と、
前記本体に対して開閉動作が可能な蓋部と、
前記蓋部に備えられる第１の表示装置と、
バッテリを有し、前記本体および前記蓋部のいずれか一方に対する装着及び分離が可能な第２の表示装置とを具備し、
前記第２の表示装置は、前記装着の状態においては前記本体から供給される電力を用いて情報の表示および前記バッテリの充電を行い、前記分離の状態においては前記バッテリの電力を用いて情報の表示を行うことが可能であることを特徴とする情報機器。
【請求項２】
前記第２の表示装置は、無線通信装置を有し、前記分離の状態においては前記本体から前記無線通信装置を介して得られる情報の表示を行うことを特徴とする請求項１記載の情報機器。
【請求項３】
前記第２の表示装置は、前記装着の状態においても前記本体から前記無線通信装置を介して得られる情報の表示を行うことを特徴とする請求項２記載の情報機器。
【請求項４】
前記蓋部が前記本体に対して閉じている状態にて、前記本体におけるオペレーティングシステムが動作状態にあり、
前記オペレーティングシステムの動作中に得られる情報を前記第２の表示装置に表示させる制御手段を具備することを特徴とする請求項１乃至３のいずれかに記載の情報機器。
【請求項５】
前記蓋部が前記本体に対して閉じている状態にて、所定の操作があった場合、前記本体におけるオペレーティングシステムが再起動し、
前記オペレーティングシステムの再起動の際に得られる情報を前記第２の表示装置に表示させる制御手段を具備することを特徴とする請求項１乃至３のいずれかに記載の情報機器。
【請求項６】
前記第２の表示装置が前記装着の状態にある場合と前記分離の状態にある場合とで前記本体の動作条件が変わるように制御する制御手段を具備することを特徴とする請求項１記載の情報機器。
【請求項７】
前記第２の表示装置が前記装着の状態にある場合と前記分離の状態にある場合とで前記本体の電源状態が変わるように制御する制御手段を具備することを特徴とする請求項１記載の情報機器。
【請求項８】
前記第２の表示装置が前記装着の状態にある場合と前記分離の状態にある場合とで前記第２の表示装置における表示内容が変わるように制御する制御手段を具備することを特徴とする請求項１記載の情報機器。
【請求項９】
前記第２の表示装置は、タッチパッドを有し、当該タッチパッドから入力される情報を前記無線通信装置により前記本体へ送ることが可能であることを特徴とする請求項１記載の情報機器。
【請求項１０】
本体と、前記本体に対して開閉動作が可能な蓋部と、前記蓋部に備えられる第１の表示装置と、前記本体および前記蓋部のいずれか一方に対する装着及び分離が可能な第２の表示装置とを具備する情報機器に適用される表示制御方法であって、
前記第２の表示装置が前記装着の状態にあるときに、前記第２の表示装置に第１の情報を表示させ、
前記第２の表示装置が前記分離の状態にあるときに、前記第２の表示装置に前記第１の情報とは異なる第２の情報を表示させることを特徴とする表示制御方法。
【請求項１１】
前記第２の表示装置に表示させる前記第１の情報および前記第２の情報を設定することが可能であることを特徴とする請求項１０記載の表示制御方法。
【請求項１２】
前記第２の表示装置が前記装着の状態にあるときに、所定の操作があった場合、前記第２の表示装置に表示されている前記第１の情報を、設定された別の情報に切り替えることを特徴とする請求項１０記載の表示制御方法。
【請求項１３】
前記第２の表示装置が前記分離の状態にあるときに、所定の操作があった場合、前記第２の表示装置に表示されている前記第２の情報を、設定された別の情報に切り替えることを特徴とする請求項１０記載の表示制御方法。
【請求項１４】
前記第１の情報および前記第２の情報は、オペレーティングシステムの動作中に得られる情報であることを特徴とする請求項１０記載の表示制御方法。
【請求項１５】
本体と、前記本体に対して開閉動作が可能な蓋部と、前記蓋部に備えられる第１の表示装置と、前記本体および前記蓋部のいずれか一方に対する装着及び分離が可能な第２の表示装置とを具備する情報機器に適用される表示制御方法であって、
前記第２の表示装置が前記装着の状態にあるときに、前記第２の表示装置において、前記本体から供給される電力を用いて情報の表示および前記第２の表示装置に対する充電を行い、
前記第２の表示装置が前記分離の状態にあるときに、前記第２の表示装置において、前記充電で得られた電力を用いて情報の表示を行うことを特徴とする表示制御方法。
【請求項１６】
前記第２の表示装置が前記分離の状態にあるときに、前記本体を省電力状態もしくは停止状態となるように制御することを特徴とする請求項１５記載の表示制御方法。
【請求項１７】
前記第２の表示装置が前記分離の状態にあるときに、所定の操作があった場合、前記本体を省電力状態もしくは停止状態となるように制御することを特徴とする請求項１５記載の表示制御方法。
【発明の詳細な説明】
【技術分野】
【０００１】
本発明は、表示装置と補助表示装置とを備えた情報機器および表示制御方法に関する。
【背景技術】
【０００２】
ノート型パーソナルコンピュータのような情報機器は、一般に、機器本体に対する開閉動作が可能な蓋部が設けられ、この蓋部には情報の表示を行うための表示装置が備えられている。また、上記表示装置のほかに、機器本体の手前部分などに機器の電源状態などを表示するための補助表示装置が設けられている場合がある。この補助表示装置は、蓋部に設けられる場合もある。こうした補助表示装置を情報機器の要所に設けることはよく知られている。
【０００３】
例えば、特許文献１には、主表示パネルと同一の情報を表示する比較的小型の補助表示装置を筐体に設けた構成が開示されている。また、特許文献２には、筐体のキーボード面と同一面上に設けられた補助表示装置を着脱可能な構成にし、この補助表示装置をメインディスプレイの一部表示領域として用いることが開示されている。
【特許文献１】特開２０００−２６７７５８号公報
【特許文献２】特開２００１−２４２９５５号公報
【発明の開示】
【発明が解決しようとする課題】
【０００４】
ところで、ノート型パーソナルコンピュータのような情報機器は、鞄の中に入れた状態で持ち運ばれることがよくある。そのような場合、使用者はその情報機器本体の情報（受信メールに関する情報など）を容易に参照することができない。一般に、情報機器における主表示装置や補助表示装置は機器本体に固定されているため、そのような表示装置から情報を見ることは困難である。
【０００５】
特許文献１には機器本体に対して補助表示装置を着脱可能とする構成は開示されていないが、特許文献２には機器本体に対して補助表示装置を着脱可能とする構成が開示されている。しかしながら、特許文献２に示される補助表示装置は、機器本体から分離している状態では使用することができない。
【０００６】
こうしたことから、機器本体から分離可能な補助表示装置をより有効に使用できるようにすることが望まれており、その表示内容や節電に関しても改善の余地がある。
【０００７】
本発明は上記実情に鑑みてなされたものであり、補助表示装置を有効に使用することができる情報機器および表示制御方法を提供することを目的とする。
【課題を解決するための手段】
【０００８】
本発明に係る情報機器は、本体と、前記本体に対して開閉動作が可能な蓋部と、前記蓋部に備えられる第１の表示装置と、バッテリを有し、前記本体および前記蓋部のいずれか一方に対する装着及び分離が可能な第２の表示装置とを具備し、前記第２の表示装置は、前記装着の状態においては前記本体から供給される電力を用いて情報の表示および前記バッテリの充電を行い、前記分離の状態においては前記バッテリの電力を用いて情報の表示を行うことが可能であることを特徴とする。
【０００９】
本発明に係る表示制御方法は、本体と、前記本体に対して開閉動作が可能な蓋部と、前記蓋部に備えられる第１の表示装置と、前記本体および前記蓋部のいずれか一方に対する装着及び分離が可能な第２の表示装置とを具備する情報機器に適用される表示制御方法であって、前記第２の表示装置が前記装着の状態にあるときに、前記第２の表示装置に第１の情報を表示させ、前記第２の表示装置が前記分離の状態にあるときに、前記第２の表示装置に前記第１の情報とは異なる第２の情報を表示させることを特徴とする。
【００１０】
本発明に係る表示制御方法は、本体と、前記本体に対して開閉動作が可能な蓋部と、前記蓋部に備えられる第１の表示装置と、前記本体および前記蓋部のいずれか一方に対する装着及び分離が可能な第２の表示装置とを具備する情報機器に適用される表示制御方法であって、前記第２の表示装置が前記装着の状態にあるときに、前記第２の表示装置において、前記本体から供給される電力を用いて情報の表示および前記第２の表示装置に対する充電を行い、前記第２の表示装置が前記分離の状態にあるときに、前記第２の表示装置において、前記充電で得られた電力を用いて情報の表示を行うことを特徴とする。
【発明の効果】
【００１１】
本発明によれば、補助表示装置を有効に使用することができる。
【発明を実施するための最良の形態】
【００１２】
以下、図面を参照して、本発明の一実施形態を説明する。  
まず、図１および図２を参照して、本発明の一実施形態に係る情報機器における補助表示装置の配置と機構について２つの例を挙げて説明する。図１は第１の例を示し、図２は第２の例を示している。  
図１および図２に示される情報機器は、例えばノート型パーソナルコンピュータであり、機器本体１と蓋部２とを有する。この蓋部２は、主表示装置（メインＬＣＤ）３を備えており、機器本体１に対する開閉動作が可能となっている。
【００１３】
補助表示装置（サブＬＣＤ）４は、後述するバッテリを有し、機器本体１および蓋部２のいずれか一方に対する装着（取付け）及び分離（取外し）が可能である。装着の際には、接続部（コネクタなど）を介して電気的および機械的に接続される。そして、この補助表示装置４は、上記装着の状態においては機器本体１から供給される電力を用いて情報の表示および上記バッテリの充電を行い、上記分離の状態においては上記バッテリの電力を用いて情報の表示を行う。
【００１４】
更に、補助表示装置４は、後述する無線通信装置（通信部）を有し、上記分離の状態においては機器本体１から当該無線通信装置を介して得られる情報の表示を行うことができる。また、上記装着の状態においても機器本体１から当該無線通信装置を介して得られる情報の表示を行うことができる。この場合、無線通信装置を用いずに、有線通信装置を用いて情報通信を行う構成としてもよい。
【００１５】
なお、ここでは、蓋部２の開閉状態にかかわらず、情報機器のオペレーティングシステムは動作状態にあり、このオペレーティングシステムの動作中に得られる情報が補助表示装置４に表示可能であるものとする。すなわち、補助表示装置４は、蓋部２の開閉状態にかかわらず情報を表示することができるものとなっている。なお、表示が不要な場合は、非表示の状態に設定することができる。
【００１６】
図1に示す第１の例では、補助表示装置４は、蓋部２上面の接続部（コネクタなど）に対して着脱可能となっている。図中の状態Ａにおいては、補助表示装置４の画面が上方を向いており、使用者はその画面を見ることができる。使用者は、補助表示装置４を機器本体１から分離される際には、当該補助表示装置４を矢印の方向へ引き出す。図中の状態Ｂにおいては、補助表示装置４が分離した状態にあり、また、補助表示装置４はバッテリ駆動により動作しているために、使用者はその画面を見ることができる。
【００１７】
図２に示す第２の例では、補助表示装置４は、蓋部２を開いたときの機器本体１の上面の接続部（コネクタなど）に対して着脱可能となっている。図中の状態Ａにおいては、補助表示装置４の画面が上方を向いており、使用者はその画面を見ることができる。使用者は、補助表示装置４を機器本体１から分離される際には、当該補助表示装置４を矢印の方向へ引き出す。図中の状態Ｂにおいては、補助表示装置４が分離した状態にあり、また、補助表示装置４はバッテリ駆動により動作しているために、使用者はその画面を見ることができる。
【００１８】
図３は、上記情報機器の構成を示すブロック図である。なお、図１及び図２と共通する要素には、同一の符号を付している。  
情報機器は、前述の主表示装置３および補助表示装置４のほか、機器本体側に備えられるものとして、ＣＰＵ５、メモリ６、制御部７、操作部８、装置９Ａ，９Ｂ…、通信部（無線通信装置）１０、バッテリ１１、電源コントローラ（ＰＳＣ）１２、接続部１３などを有する。補助表示装置４は、接続部４１、バッテリ４２、サブＣＰＵ４３、通信部（無線通信装置）４４、メモリ４５、操作部４６、ディスプレイ４７、ディスプレイコントローラ４８などを備えている。
【００１９】
ＣＰＵ５は、情報機器全体の動作を司るものであり、例えばメモリ６上に常駐するプログラムなどを実行することにより、主表示装置３や補助表示装置４に対する各種の表示制御や電源制御などを行う。
【００２０】
メモリ６は、オペレーティングシステム（ＯＳ）や各種のアプリケーション（電子メールのソフトなど）やドライバなどを記憶する揮発性メモリである。
【００２１】
制御部７は、電源管理や表示管理などを行う制御装置であり、電源ボタンを含む各種の操作ボタンの押下操作などを検出したときに、レジスタなどに事前に設定された設定情報に基づき、主表示装置３や補助表示装置４に対して電源状態（電力供給モード、省電力モード、電力供給停止モードなど）や表示内容に関する設定処理や設定変更処理を行う。また、再起動や、サスペンド、レジュームの処理が行われたときにも、必要な情報の格納処理や、情報の読み出し処理、転送処理、再設定処理などを行う。また、制御部７は、ＯＳの動作中に機器本体側から得られる情報（メール受信内容など）を補助表示装置４に表示させるための制御を行ったり、ＯＳの再起動の操作により再起動が行われた際にも、機器本体側から得られる情報を補助表示装置４に表示させるための制御を行う。また、制御部７は補助表示装置４からのリフレッシュの指示に応じる。
【００２２】
操作部８は、機器本体の電源オン／オフなどを指示するための電源ボタンのほか、リフレッシュ動作（補助表示装置４における電源状態や表示内容に関するリフレッシュ動作もしくはシンク動作を含む）を指示するための操作ボタン、主表示装置３および補助表示装置４の電源状態や表示内容に関する設定状態の切り替え指示をそれぞれ行うための操作ボタンなどを有している。
【００２３】
装置９Ａ，９Ｂ…は、システムバスに接続される各種の装置などであり、磁気ディスク装置（ＨＤＤ）、光ディスク装置（ＯＤＤ）、グラフィックスコントローラなどが含まれる。これらの装置は、例えば制御部７により、補助表示装置４の着脱状態に応じて動作条件が変わるように制御される（例えば、当該装置を省電力モードもしくは停止モードへ移行させるための条件となる不使用状態の期間が変わるように制御される）。
【００２４】
通信部１０は、補助表示装置４側の通信部４４との無線通信を行うものであり、機器本体１側の制御部７と補助表示装置４側のサブＣＰＵ４３とのインタフェース処理（制御情報や表示情報などに関する処理）を行うことができる。
【００２５】
バッテリ１１は、機器本体１側に設けられるリチャージャブルな電池である。
【００２６】
電源コントローラ１２は、各部への電力供給を制御したり、機器本体１側のバッテリ１１や補助表示装置４側のバッテリ４２への充電を制御したりするものである。
【００２７】
接続部１３は、機器本体１側に設けられるコネクタであり、補助表示装置４側の接続部４１との電気的接続／切断を行うためのものである。
【００２８】
接続部４１は、補助表示装置４側に設けられるコネクタであり、機器本体１側の接続部１３との電気的接続／切断を行うためのものである。
【００２９】
バッテリ４２は、補助表示装置４側に設けられるリチャージャブルな電池である。このバッテリ４２は、接続部１３が機器本体１側の接続部１３に接続されている状態においては、電源コントローラ１２から供給される電力により充電される。
【００３０】
サブＣＰＵ４３は、補助表示装置４の動作を司るものであり、バッテリ４２の状態もしくは接続部４１の状態を監視することによって補助表示装置４が機器本体１（もしくは蓋部２）に接続されているか否かを検出したり、通信部４４を介して制御部７との通信を行ったり、機器本体側から得られる各種の情報（電子メールの受信内容や受信数、バッテリの残量、無線信号レベル、日付や時間など）を取得したり、機器本体１側にリフレッシュの指示を送ったり、操作部４６からの信号を検出したときにメモリ４５などに事前に設定された設定情報に基づき、補助表示装置４の電源状態（電力供給モード、省電力モード、電力供給停止モードなど）や表示内容に関する設定処理や設定変更処理を行う。
【００３１】
通信部４４は、機器本体１側の通信部１０との無線通信を行うものであり、機器本体１側の制御部７と補助表示装置４側のサブＣＰＵ４３とのインタフェース処理（制御情報や表示情報などに関する処理）を行うことができる。
【００３２】
メモリ４５は、補助表示装置４もしくはディスプレイ４７の電源状態や表示内容に関する設定情報などを記憶する。
【００３３】
操作部４６は、補助表示装置４の電源オン／オフなどを指示するための電源ボタンのほか、補助表示装置４における電源状態や表示内容に関するリフレッシュ動作もしくはシンク動作を指示するための操作ボタン、補助表示装置４の電源状態や表示内容に関する設定状態の切り替え指示をそれぞれ行うための操作ボタンなどを有している。この操作部４６は、ディスプレイ４７と重なるように配置されたタッチパネルとして設けられていてもよい。また、この操作部４６は、補助表示装置４が機器本体１に対して装着している状態と分離している状態とで、その機能が変化するように構成してもよい。例えば、サブＣＰＵ４３の制御により、補助表示装置４が機器本体１に装着しているときにはタッチパネルの機能を有効にし、分離しているときにはタッチパネルの機能を無効にするように制御してもよい。補助表示装置４が機器本体１に装着しているときには、更に、ディスプレイ４７の表示機能を無効にするように制御してもよい。
【００３４】
ディスプレイ４７は、ディスプレイコントローラからの指示にしたがって情報を表示するものである。
【００３５】
ディスプレイコントローラ４８は、ディスプレイ４７に対して表示制御を行うものである。
【００３６】
図４は、制御部７もしくはサブＣＰＵ４３により使用される、装置９Ａおよび９Ｂの制御内容に関する設定情報の一例を示す図である。これらの設定情報は、制御部７もしくはサブＣＰＵ４３を通じて、使用者が事前に設定することができる。
【００３７】
補助表示装置４が機器本体１に装着している状態では、装置９Ａには例えば制御Ｘ１が適用され、装置９Ｂには例えば制御Ｙ１が適用される。一方、補助表示装置４が機器本体１から分離している状態では、装置９Ａには例えば制御Ｘ２が適用され、装置９Ｂには例えば制御Ｙ２が適用される。
【００３８】
例えば、装置９Ａが磁気ディスク装置であるような場合、補助表示装置４の着脱状態に応じて、当該装置を省電力モードもしくは停止モードへ移行させるための条件となる不使用状態の期間が変わるように制御してもよい。この場合、補助表示装置４が機器本体１から分離している状態では、使用者は機器本体１を使用する可能性が低いため、当該装置が省電力モードもしくは停止モードへなるべく早く移行するよう上記期間が短く設定される制御を行う（例えば、監視する期間を５分から１分に変える）ことで、結果的に機器本体１側の省電力化を実現できる。
【００３９】
図５は、制御部７もしくはサブＣＰＵ４３により使用される表示制御に関する設定情報の一例を示す図である。これらの設定情報は、制御部７もしくはサブＣＰＵ４３を通じて、使用者が事前に設定することができる。
【００４０】
補助表示装置４が機器本体１に装着している状態では、主表示装置３には例えば情報Ａ１が表示され、補助表示装置４には例えば情報Ｂ１が表示される。ここで、使用者が主表示装置３の表示内容を切り替えるための操作を行った場合には、情報Ａ１が例えば別の情報Ａ２に切り替わる。勿論、操作により元の状態に戻すこともできる。一方、使用者が補助表示装置４の表示内容を切り替えるための操作を行った場合には、情報Ｂ１が例えば別の情報Ｂ２に切り替わる。勿論、操作により元の状態に戻すこともできる。
【００４１】
一方、補助表示装置４が機器本体１から分離している状態では、主表示装置３には例えば情報Ａ３が表示され、補助表示装置４には例えば情報Ｂ３が表示される。ここで、使用者が主表示装置３の表示内容を切り替えるための操作を行った場合には、情報Ａ３が例えば別の情報Ａ４に切り替わる。勿論、操作により元の状態に戻すこともできる。一方、使用者が補助表示装置４の表示内容を切り替えるための操作を行った場合には、情報Ｂ３が例えば別の情報Ｂ４に切り替わる。勿論、操作により元の状態に戻すこともできる。
【００４２】
情報Ａ１，Ａ２，Ａ３，Ａ４の例としては、ＯＳのもとで動作する各種のアプリケーションから得られる情報が挙げられる。情報Ｂ１，Ｂ２の例としては、例えば、機器本体１の各種ステータス情報（キーボードシフト情報など）や、タッチパネルの操作用の情報、WiFi（Wireless Fidelity）などに関する無線信号レベル、などが挙げられる。情報Ｂ３，Ｂ４の例としては、例えば、電子メールの受信内容や受信数、機器本体側のバッテリの残量、日付や時間などが挙げられる。また、本来ならば主表示装置３に表示するような情報（アイコンが配置されたデスクトップ画面、スケジュール内容、スライドショーなど）の全部または一部または縮小したもの（サムネイル画像など）を採用してもよい。また、ＯＳの動作中に得られる情報であってもよいし、ＯＳの停止中に得られる情報であってもよい。また、本来ならば主表示装置３に表示するような情報（アイコンが配置されたデスクトップ画面、スケジュール内容、スライドショーなど）の全部または一部または縮小したもの（サムネイル画像など）を採用してもよい。この場合、本来ならば主表示装置３の表示に対応するアプリケーションが、補助表示装置４に対応することとなり、このアプリケーションから提供される情報が補助表示装置４に表示されることとなる。また、情報Ｂ３や情報Ｂ４は、上述の情報Ｂ１や情報Ｂ２と全く同じであってもよい。また、ＯＳの動作中に得られる情報であってもよいし、ＯＳの停止中に得られる情報であってもよい。
【００４３】
図６は、制御部７もしくはサブＣＰＵ４３により使用される電源制御に関する設定情報の一例を示す図である。これらの設定情報は、制御部７もしくはサブＣＰＵ４３を通じて、使用者が事前に設定することができる。
【００４４】
補助表示装置４が機器本体１に装着している状態では、例えば、機器本体１または主表示装置３（もしくは、そのディスプレイ）には電力が供給され、補助表示装置４（もしくは、そのディスプレイ）にも電力が供給される。このとき、補助表示装置４は、機器本体１から供給される電力により充電中の状態にある。ここで、使用者が主表示装置３の電源状態を省電力状態もしくは電力供給停止状態に切り替えるための操作を行った場合には、機器本体１または主表示装置３（もしくは、そのディスプレイ）は省電力状態もしくは電力供給停止状態に切り替わる。勿論、操作により元の状態に戻すこともできる。一方、使用者が補助表示装置４の電源状態を省電力状態もしくは電力供給停止状態に切り替えるための操作を行った場合には、補助表示装置４（もしくは、そのディスプレイ）は省電力状態もしくは電力供給停止状態に切り替わる。勿論、操作により元の状態に戻すこともできる。
【００４５】
一方、補助表示装置４が機器本体１から分離している状態では、例えば、機器本体１または主表示装置３（もしくは、そのディスプレイ）には電力が供給され、補助表示装置４（もしくは、そのディスプレイ）にも電力が供給される。このとき、補助表示装置４は、充電されたバッテリ４２の電力により駆動している状態にある。ここで、使用者が主表示装置３の電源状態を省電力状態もしくは電力供給停止状態に切り替えるための操作を行った場合には、機器本体１または主表示装置３（もしくは、そのディスプレイ）は省電力状態もしくは電力供給停止状態に切り替わる。勿論、操作により元の状態に戻すこともできる。一方、使用者が補助表示装置４の電源状態を省電力状態もしくは電力供給停止状態に切り替えるための操作を行った場合には、補助表示装置４（もしくは、そのディスプレイ）は省電力状態もしくは電力供給停止状態に切り替わる。勿論、操作により元の状態に戻すこともできる。
【００４６】
次に、図７を参照して、事前設定に関する動作を説明する。
【００４７】
使用者が電源ボタン等を操作することにより、情報機器の電源が投入され、機器本体側のＯＳが起動する（ステップＳ１１）。
【００４８】
使用者は、機器本体側の主表示装置３に必要な設定画面（図４〜図６に相当する内容）を表示させ、設定内容を決定することにより、事前設定を行う（ステップＳ１２）。こうして設定された内容は、所定のレジスタ等に記憶されることになる。
【００４９】
使用者がシャットダウンの操作を行うと、シャットダウンの処理が実行される（ステップＳ１３）。
【００５０】
次に、図８を参照して、設定情報に基づく設定に関する動作を説明する。なお、図７に示した事前設定は既に完了しているものとする。  
使用者が電源ボタン等を操作することにより、情報機器の電源が投入され、機器本体側のＯＳが起動する（ステップＳ２１）。
【００５１】
主表示装置３および補助表示装置４では、事前に記憶されている設定情報の内容に基づき、電源状態および表示内容に関する設定処理が行われる（ステップＳ２２）。
【００５２】
ここで、補助表示装置４の着脱があったか否かが判別される（ステップＳ２３）。着脱があった場合（ステップＳ２３のＹｅｓ）、ステップＳ２２へ進み、当該着脱の状態に応じた設定処理が行われる。また、使用者による何らかの操作があったか否かが判別される（ステップＳ２３）。操作が検出されなければ（ステップＳ２４のＮｏ）、ステップＳ２３へ進み、状態監視が続けられる。
【００５３】
ステップＳ２４において操作が検出された場合（ステップＳ２４のＹｅｓ）、それが再起動に該当するものであれば（ステップＳ２５のＹｅｓ）、ステップＳ２１へ進む。再起動にもシャットダウンにも該当しない場合には（ステップＳ２６のＮｏ）、再設定の処理が必要であるものと判定し、ステップＳ２２へ進む。一方、シャットダウンに該当するものであれば（ステップＳ２６のＹｅｓ）、シャットダウンを実行する（ステップＳ２７）。
【００５４】
このように本実施形態によれば、補助表示装置４が機器本体１から分離している状態であっても、バッテリ駆動により問題なく動作することができ、機器本体１（もしくは蓋部２）との間の無線通信によって機器本体１に対して各種の指示を送ったり機器本体１から送られてくる情報を表示したりすることができる。このため、情報機器が例えば鞄の中に入った状態であっても、機器本体１から分離させた補助表示装置４を所持しているだけで受信メールなどを含む機器本体１側の各種の情報を簡単に見ることができる。また、使用者の要望に応じて主表示装置と補助表示装置とに所望の情報を表示させたり、使用する必要のない表示装置で消費される電力を低減させたりすることができる。
【００５５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５６】
【図１】本発明の一実施形態に係る情報機器における補助表示装置の配置と機構についての第１の例を示す図。
【図２】本発明の一実施形態に係る情報機器における補助表示装置の配置と機構についての第２の例を示す図。
【図３】上記情報機器の構成を示すブロック図。
【図４】制御部もしくはサブＣＰＵにより使用される、各種装置に対する制御内容に関する設定情報の一例を示す図。
【図５】制御部もしくはサブＣＰＵにより使用される表示制御に関する設定情報の一例を示す図。
【図６】制御部もしくはサブＣＰＵにより使用される電源制御に関する設定情報の一例を示す図。
【図７】事前設定に関する動作を説明するためのフローチャート。
【図８】設定情報に基づく設定に関する動作を説明するためのフローチャート。
【符号の説明】
【００５７】
１…機器本体、２…蓋部、３…主表示装置、４…補助表示装置、５…ＣＰＵ、６…メモリ、７…制御部、８…操作部、９Ａ，９Ｂ…装置、１０…通信部（無線通信装置）、１１…バッテリ、１２…電源コントローラ（ＰＳＣ）、１３…接続部、４１…接続部、４２…バッテリ、４３…サブＣＰＵ、４４…通信部（無線通信装置）、４５…メモリ、４６…操作部、４７…ディスプレイ、４８…ディスプレイコントローラ。
【図１】
2006258988.tif 000003
【図２】
2006258988.tif 000004
【図３】
2006258988.tif 000005
【図４】
2006258988.tif 000006
【図５】
2006258988.tif 000007
【図６】
2006258988.tif 000008
【図７】
2006258988.tif 000009
【図８】
2006258988.tif 000010